(57)【要約】    【課題】同一の増設カメラにて撮像された画像を動画データまたは静止画データとして、複数の居室親機のモニタにそれぞれ表示させる。    【解決手段】居室親機４ａ、４ｂ、・・・の入力切替ボタン４０７にて選択操作が行われると、この操作を検出した制御機６の制御機ＣＰＵ６００ａは、集合玄関機１のカメラ１００にて撮像された画像を動画データとして、または増設カメラ２にて撮像された画像を静止画データとして取得し、選択操作元の居室親機に送出することにより、増設カメラにて撮像された画像のデータ量を少なく抑えることができ、特に、複数の居室親機にて入力切替ボタンの操作がそれぞれ行われた場合でも、これら選択操作元全ての居室親機のモニタには、増設カメラにて撮像された画像を静止画データとしてそれぞれ表示させることができる。  【選択図】図１
2006211204.tif 000002
【特許請求の範囲】
【請求項１】
集合住宅のエントランスに設置され来訪者が居住者を呼び出し、前記来訪者の画像を撮像するためのカメラ（１００）を有する集合玄関機（１）と、前記集合玄関機のカメラにて撮像された画像を表示するためのモニタ（４００）を有する複数の居室親機（４ａ、４ｂ、・・・）と、前記エントランス、ゴミ集積所、駐車場等の前記集合住宅の共用部を監視するための増設カメラ（２）が接続され、前記集合玄関機および前記居室親機をそれぞれ制御するための制御機（６）とを備え、
前記居室親機は、前記集合玄関機のカメラにて撮像された画像、前記増設カメラにて撮像された画像を前記モニタに選択して表示するための入力切替ボタン（４０７）を有し、
前記制御機は、前記増設カメラにて撮像された画像を静止画データとして保存するための画像メモリ（６０１）と、前記入力切替ボタンの選択により前記集合玄関機のカメラにて撮像された画像を動画データとして、または前記増設カメラにて撮像された画像を静止画データとして前記居室親機に送出するための切替制御を行う制御機ＣＰＵ（６００ａ）とを有することを特徴とする集合住宅インターホン装置。
【請求項２】
前記増設カメラは、一定時間ごとに撮像した静止画データを前記制御機に送出し、前記制御機は、前記静止画データを前記画像メモリに保存することを特徴とする請求項１記載の集合住宅インターホン装置。
【請求項３】
前記増設カメラは、動画データを前記制御機に送出し、前記制御機は、前記動画データを一定時間ごとに静止画データに変換して前記画像メモリに保存することを特徴とする請求項１記載の集合住宅インターホン装置。
【請求項４】
前記増設カメラの撮像範囲内を検出するための人感センサ（３）を備え、前記増設カメラは、前記人感センサが感知するごとに撮像した静止画データを前記制御機に送出することを特徴とする請求項１または請求項２記載の集合住宅インターホン装置。
【請求項５】
前記増設カメラの撮像範囲内を検出するための人感センサ（３）を備え、前記増設カメラは、前記動画データを前記制御機に送出し、前記制御機は、前記人感センサが感知するごとに前記増設カメラにて撮像された動画データを静止画データに変換することを特徴とする請求項１または請求項３記載の集合住宅インターホン装置。
【請求項６】
前記制御機は、複数の居室親機から前記増設カメラにて撮像された画像の出画表示要求があった場合に、前記出画表示要求のあった全ての前記居室親機を宛先アドレスとして前記画像メモリに保存された前記増設カメラにて撮像された画像を静止画データとして送出することを特徴とする請求項１乃至請求項５のうち何れか１項記載の集合住宅インターホン装置。
【請求項７】
前記制御機は、前記集合玄関機のカメラにて撮像された画像を映像幹線路（Ｌ4b）を用いて送出し、かつ前記増設カメラにて撮像された画像を静止画データとしてデータ幹線路（Ｌ4a）を用いて送出することを特徴とする請求項１乃至請求項６のうち何れか１項記載の集合住宅インターホン装置。
【請求項８】
前記居室親機は、前記増設カメラにて撮像された画像を動画データまたは静止画データから選択して前記モニタに表示するための動画切替ボタン（４０８）を有し、
前記制御機は、前記動画切替ボタンの選択により前記増設カメラにて撮像された画像を動画データとして、または静止画データとして前記居室親機に送出するための切替制御を行う制御機ＣＰＵ（６００ｂ）を有することを特徴とする請求項１、請求項３、請求項５、請求項６または請求項７記載の集合住宅インターホン装置。
【請求項９】
前記制御機は、前記増設カメラにて撮像された画像を動画データとして送出しているときに、他の居室親機から前記増設カメラにて撮像された画像の出画表示要求があった場合には、前記増設カメラにて撮像された画像を静止画データとして送出するための切替制御を行う制御機ＣＰＵ（６００ｂ）を有することを特徴とする請求項８記載の集合住宅インターホン装置。
【発明の詳細な説明】
【技術分野】
【０００１】
本発明は、マンション等の集合住宅に設置される集合住宅インターホン装置に係り、特に、集合玄関機のカメラにて撮像された画像、増設カメラにて撮像された画像を居室親機のモニタに選択して表示させるにあたり、動画データまたは静止画データの切り替えが容易な集合住宅インターホン装置に関する。
【背景技術】
【０００２】
従来から、この種の集合住宅インターホン装置として、居室親機または制御機に画像表示制御部を設けることにより、居室親機のモニタに表示される画像、すなわち、集合玄関機のカメラにて撮像された画像や増設カメラにて撮像された画像、さらには、ドアホン子機のカメラにて撮像された画像および火災センサ、ガスセンサ等のセキュリティセンサからのセンサ信号に基づく画像の切替表示、同時表示または分割表示を行うことができ、必要な映像情報（画像情報）を瞬時に確認可能な集合住宅インターホン装置が開示されている（例えば、特許文献１を参照。）。
【０００３】
【特許文献１】特開２００４−１８００８６号公報（段落番号００２０〜００４８、図１、図２、図３）
【発明の開示】
【発明が解決しようとする課題】
【０００４】
しかしながら、従来例の集合住宅インターホン装置において、例えば、特定の住戸内に設置されている居室親機のモニタに増設カメラにて撮像された画像が表示されていると、特定の住戸以外の複数の住戸の各住戸内にそれぞれ設置されている居室親機では、同一の増設カメラにて撮像された画像を表示させることができず、集合住宅のエントランス、ゴミ集積所、駐車場等の共用部に不審者等が居るか否か、または共用部にてセキュリティ異常が発生しているか否かについて複数の住戸の各住戸内にそれぞれ在室中の居住者が確認しようとしても、居室親機のモニタに最初に表示された何れか１の居住者以外確認することができず、早急な通報および避難や当該避難の誘導等、迅速な対応が困難であった。
【０００５】
本発明は、前述の難点を解消するためになされたもので、同一の増設カメラにて撮像された画像を動画データまたは静止画データとして、複数の居室親機のモニタにそれぞれ表示させることができる集合住宅インターホン装置を提供することを目的としている。
【課題を解決するための手段】
【０００６】
前述の目的を達成するため、本発明の第１の態様である集合住宅インターホン装置は、集合住宅のエントランスに設置され来訪者が居住者を呼び出し、来訪者の画像を撮像するためのカメラを有する集合玄関機と、集合玄関機のカメラにて撮像された画像を表示するためのモニタを有する複数の居室親機と、エントランス、ゴミ集積所、駐車場等の集合住宅の共用部を監視するための増設カメラが接続され、集合玄関機および居室親機をそれぞれ制御するための制御機とを備えたものである。居室親機は、集合玄関機のカメラにて撮像された画像、増設カメラにて撮像された画像をモニタに選択して表示するための入力切替ボタンを有している。制御機は、増設カメラにて撮像された画像を静止画データとして保存するための画像メモリと、入力切替ボタンの選択により集合玄関機のカメラにて撮像された画像を動画データとして、または増設カメラにて撮像された画像を静止画データとして居室親機に送出するための切替制御を行う制御機ＣＰＵとを有している。
【０００７】
また、本発明の第２の態様である集合住宅インターホン装置は、第１の態様である当該装置において、増設カメラは、一定時間ごとに撮像した静止画データを制御機に送出し、制御機は、静止画データを画像メモリに保存するものである。
【０００８】
また、本発明の第３の態様である集合住宅インターホン装置は、第１の態様である当該装置において、増設カメラは、動画データを制御機に送出し、制御機は、動画データを一定時間ごとに静止画データに変換して画像メモリに保存するものである。
【０００９】
また、本発明の第４の態様である集合住宅インターホン装置は、第１の態様または第２の態様である当該装置において、増設カメラの撮像範囲内を検出するための人感センサを備え、増設カメラは、人感センサが感知するごとに撮像した静止画データを制御機に送出するものである。
【００１０】
また、本発明の第５の態様である集合住宅インターホン装置は、第１の態様または第３の態様である当該装置において、増設カメラの撮像範囲内を検出するための人感センサを備え、増設カメラは、動画データを制御機に送出し、制御機は、人感センサが感知するごとに増設カメラにて撮像された動画データを静止画データに変換するものである。
【００１１】
また、本発明の第６の態様である集合住宅インターホン装置は、第１の態様乃至第５の態様のうち何れか１の態様である当該装置において、制御機は、複数の居室親機から増設カメラにて撮像された画像の出画表示要求があった場合に、出画表示要求のあった全ての居室親機を宛先アドレスとして画像メモリに保存された増設カメラにて撮像された画像を静止画データとして送出するものである。
【００１２】
また、本発明の第７の態様である集合住宅インターホン装置は、第１の態様乃至第６の態様のうち何れか１の態様である当該装置において、制御機は、集合玄関機のカメラにて撮像された画像を映像幹線路を用いて送出し、かつ増設カメラにて撮像された画像を静止画データとしてデータ幹線路を用いて送出するものである。
【００１３】
また、本発明の第８の態様である集合住宅インターホン装置は、第１の態様、第３の態様、第５の態様、第６の態様または第７の態様である当該装置において、居室親機は、増設カメラにて撮像された画像を動画データまたは静止画データから選択してモニタに表示するための動画切替ボタンを有している。制御機は、動画切替ボタンの選択により増設カメラにて撮像された画像を動画データとして、または静止画データとして居室親機に送出するための切替制御を行う制御機ＣＰＵを有している。
【００１４】
また、本発明の第９の態様である集合住宅インターホン装置は、第８の態様である当該装置において、制御機は、増設カメラにて撮像された画像を動画データとして送出しているときに、他の居室親機から増設カメラにて撮像された画像の出画表示要求があった場合には、増設カメラにて撮像された画像を静止画データとして送出するための切替制御を行う制御機ＣＰＵを有している。
【発明の効果】
【００１５】
本発明の第１の態様乃至第９の態様の集合住宅インターホン装置によれば、居室親機の入力切替ボタンにて選択操作が行われると、この操作を検出した制御機の制御機ＣＰＵは、集合玄関機のカメラにて撮像された画像を動画データとして、または増設カメラにて撮像された画像を静止画データとして取得し、選択操作元の居室親機に送出することにより、増設カメラにて撮像された画像のデータ量を少なく抑えることができ、特に、複数の居室親機にて入力切替ボタンの操作がそれぞれ行われた場合でも、これら選択操作元全ての居室親機のモニタには、増設カメラにて撮像された画像を静止画データとしてそれぞれ表示させることができる。
【００１６】
また、増設カメラにて撮像される画像として、一定時間ごとに撮像される静止画データを制御機へと送出することにより、制御機の制御機ＣＰＵへの負荷が低減される。
【００１７】
また、増設カメラにて撮像される画像として、動画データを撮像して制御機へと送出することにより、市販されている廉価な監視カメラを当該増設カメラとして採用できるばかりでなく、制御機は、増設カメラからの動画データを一定時間ごとに静止画データに変換することにより、制御機ＣＰＵへの負荷が低減される。
【００１８】
また、増設カメラにて静止画データを撮像するタイミングおよび増設カメラにて撮像された動画データを制御機にて静止画データに変換するタイミングとして、増設カメラの撮像範囲内に不審者等が居ることを人感センサが感知したタイミングで行うことにより、居室親機のモニタには、増設カメラにて撮像された最新の静止画データを表示させることができ、この表示を確認した居住者にとっては迅速な対応が可能となる。
【００１９】
また、増設カメラにて撮像された画像をモニタに表示させるための出画表示要求が複数の居室親機にて行われた場合には、これら出画表示要求元全ての居室親機を宛先アドレスとして、制御機の画像メモリから読み出される増設カメラにて撮像された画像である静止画データを一度に送出することができるため、制御機から居室親機への画像送出のために必要とされる回線の容量が低く抑えられ、出画表示要求元全ての居室親機のモニタには、増設カメラにて撮像された画像を静止画データとしてそれぞれ表示させることができる。
【００２０】
また、増設カメラにて撮像された画像である静止画データはデータ幹線路を用いて居室親機へと伝送され、集合玄関機にて撮像された画像を伝送させるために用いられる映像幹線路を占有しないため、集合玄関機と特定の居室親機との間で通話が成立している場合においても、通話成立中の居室親機以外の当該居室親機では、増設カメラにて撮像された静止画データをデータ幹線路を介して受信し、モニタに表示させることができる。
【００２１】
また、居室親機の動画切替ボタンにて選択操作が行われると、この操作を検出した制御機の制御機ＣＰＵは、増設カメラにて撮像された画像を動画データとして、または静止画データとして取得し、選択操作元の居室親機のモニタに表示させることができる。
【００２２】
さらに、複数の居室親機のうち特定の居室親機のモニタに増設モニタにて撮像された画像である動画データが表示されているときに、他の居室親機にて出画表示要求が行われた場合、この出画表示要求を検出した制御機の制御機ＣＰＵは、増設モニタにて撮像される画像を動画データから静止画データに切り替えて特定の居室親機および出画表示要求元である他の居室親機へと送出することにより、特定の居室親機のみならず出画表示要求元である他の居室親機のモニタには、増設カメラにて撮像された画像を静止画データとしてそれぞれ表示させることができる。
【発明を実施するための最良の形態】
【００２３】
以下、本発明の集合住宅インターホン装置を適用した最良の実施の形態例について、図面を参照して説明する。
【００２４】
図１は、本発明の第１〜第３の各実施例による集合住宅インターホン装置の構成を示すシステム説明図である。
【００２５】
図１のシステム説明図に示す集合住宅インターホン装置は、マンション等の集合住宅において、エントランス（共用玄関と同意。）に設置されており、来訪者が複数の住戸、例えば、１０１号室、１０２号室、・・・のような複数の住戸のうち特定の住戸内に在室中の居住者、または管理室（管理人室と同意。）内に在室中の管理人を呼び出して通話を成立させるための呼出・通話機能や呼出操作を行った来訪者の画像（エントランスの周囲近傍の画像を含む。）を撮像するための画像撮像機能としてのＣＣＤ（Charge Coupled Device）撮像素子、ＣＭＯＳ（Complementary Metal Oxide Semiconductor）撮像素子等のカメラ（以下、玄関機カメラという。）１００を有する集合玄関機１と、エントランス、ゴミ集積所、駐車場等の集合住宅の共用部を監視し、その様子である画像を撮像するためのＣＣＤ撮像素子、ＣＭＯＳ撮像素子等の増設カメラ２と、増設カメラ２にて撮像される画像の撮像範囲内、すなわち、集合住宅の共用部に不審者等が居るか否か、または共用部にてセキュリティ異常が発生しているか否かについて検出（感知）するための人感センサ３と、複数の住戸の各住戸内にそれぞれ設置されており、来訪者または管理人からの呼び出しを確認した居住者が通話を成立させるための後述する呼出報知・通話機能、居住者が管理人を呼び出して通話を成立させるための後述する呼出・通話機能や集合玄関機１の玄関機カメラ１００および／または増設カメラ２にて撮像された画像、人感センサ３の感知情報等を表示するための画像表示機能としてのＬＣＤ（Liquid Crystal Display）、有機ＥＬ（Electro Luminescence）ディスプレイ等のモニタ（以下、居室モニタという。）４００を有する複数の居室親機４ａ、４ｂ、・・・と、管理室内に設置されており、集合住宅のエントランスに居る来訪者または特定の住戸内に在室中の居住者からの呼び出しを確認した管理人が通話を成立させるための呼出報知・通話機能、管理人が特定の住戸内に在室中の居住者を呼び出して通話を成立させる、または複数の居住者を呼び出す、例えば、一斉呼び出しを行うための呼出・通話機能や集合玄関機１の玄関機カメラ１００および／または増設カメラ２にて撮像された画像、人感センサ３の感知情報等を表示するための画像表示機能としてのＬＣＤ、有機ＥＬディスプレイ等のモニタ（以下、管理室モニタという。）５００を有する管理室親機５と、玄関機ラインＬ1を介して接続された集合玄関機１、カメララインＬ2を介して接続された増設カメラ２、センサラインＬ3を介して接続された人感センサ３、居室親機ラインＬ4を構成するデータ幹線路Ｌ4a、映像幹線路Ｌ4bおよび音声幹線路Ｌ4cを介してバス接続された複数の居室親機４ａ、４ｂ、・・・、管理室ラインＬ5を介して接続された管理室親機５をそれぞれ制御するための制御機６とが備えられている。
【００２６】
また、複数の居室親機４ａ、４ｂ、・・・には、自住戸（１０１号室、１０２号室、・・・）のエントランスに居る来訪者が呼出操作を行い通話を成立させるための呼出・通話機能（詳述せず）や呼出操作を行った来訪者の画像（自住戸玄関の周囲近傍の画像を含む。）を撮像するための画像撮像機能を有する玄関子機７ａ、７ｂ、・・・がドアホンラインＬ6a、Ｌ6b、・・・を介してそれぞれ接続されている。
【００２７】
さらに、制御機６は、複数の居室親機４ａ、４ｂ、・・・へと送出させる画像データとして、後述する動画データまたは静止画データの切替制御等を行うためのＣＰＵ（以下、制御機ＣＰＵという。）６００ａ、６００ｂと、増設カメラ２にて撮像された画像を静止画データとして保存するためのＲＡＭ（Random Access Memory）、ＥＥＰＲＯＭ（Electrically Erasable Programmable Read Only Memory）等の画像メモリ６０１とを有している。
【００２８】
なお、制御機６には２つの制御機ＣＰＵ６００ａ、６００ｂが記載されているが、後述する第１、第２の各実施例の動作を説明するにあたっては一方の制御機ＣＰＵ（以下、第１の制御機ＣＰＵという。）６００ａが採用され、第３の実施例の動作を説明するにあたっては他方の制御機ＣＰＵ（以下、第２の制御機ＣＰＵという。）６００ｂが採用されるものとする。
【００２９】
図２は、本発明の第１〜第３の各実施例による集合住宅インターホン装置において、複数の居室親機４ａ、４ｂ、・・・の具体的な構成を示すブロック図である。
【００３０】
図２のブロック図に示す複数の居室親機４ａ、４ｂ、・・・はそれぞれ同様な構成である。複数の居室親機４ａ、４ｂ、・・・は、前述の居室モニタ４００と、当該居室親機の構成各部／回路をそれぞれ制御するためのＣＰＵ（以下、居室ＣＰＵという。）４０１と、来訪者または管理人からの呼び出し（一斉呼び出しを含む。）がある旨を報知するための呼出報知機能として、呼出音（音声メッセージを含む。）を放音するためのスピーカ（以下、居室スピーカという。）４０２と、居住者が呼出元である来訪者または管理人、或いは呼出先である管理人との間で通話させるための通話機能として、送話音声および受話音声を入出力するマイクおよびレシーバを有するハンドセット４０３と、ハンドセット４０３の取り上げの有無に対応してフックオフ／フックオンされるフックスイッチ４０４と、動画データまたは静止画データを居室モニタ４００に選択して表示させるように当該居室モニタを出画表示可能とするためのモニタ駆動制御回路４０５と、ハンドセット４０３のマイクを介して入力される送話音声であり、適宜、信号処理された音声信号を４線／２線変換するとともに、当該ハンドセットのレシーバから出力される受話音声である後述する通話用インターフェース４１１またはドアホン用インターフェース４１２を介して伝送されてくる音声信号を２線／４線変換するための通話回路４０６と、居室モニタ４００に表示させる画像として、集合玄関機１の玄関機カメラ１００にて撮像された画像、増設カメラ２にて撮像された画像を選択して表示させるための操作が行われる入力切替ボタン４０７と、増設カメラ２にて撮像された画像を動画データまたは静止画データから選択して居室モニタ４００に表示させるための操作が行われる動画切替ボタン４０８と、第１の居室端子Ｔ1に接続された居室親機ラインＬ4を構成するデータ幹線路Ｌ4aおよび居室ＣＰＵ４０１の間の信号伝送路を形成するためのデータ用インターフェース（以下、データ用Ｉ／Ｆという。）４０９と、第２の居室端子Ｔ2に接続された居室親機ラインＬ4を構成する映像幹線路Ｌ4bからモニタ駆動制御回路４０５への信号伝送路を形成するための映像用インターフェース（以下、映像用Ｉ／Ｆという。）４１０と、第３の居室端子Ｔ3に接続された居室親機ラインＬ4を構成する音声幹線路Ｌ4cおよび通話回路４０６の間の信号伝送路を形成するための通話用インターフェース（以下、通話用Ｉ／Ｆという。）４１１と、第４の居室端子Ｔ4に接続されたドアホンラインＬ6a、Ｌ6b、・・・および居室ＣＰＵ４０１、通話回路４０６の間の信号伝送路をそれぞれ形成するとともに、当該ドアホンラインからモニタ駆動制御回路４０５への信号伝送路を形成するためのドアホン用インターフェース（以下、ドアホン用Ｉ／Ｆという。）４１２とが備えられている。
【００３１】
なお、図２のブロック図において、複数の居室親機４ａ、４ｂ、・・・には動画切替ボタン４０８が記載されているが、後述する第１、第２の各実施例の動作を説明するにあたっては不要な構成部であり採用されないものとする。
【００３２】
次に、本発明の第１〜第３の各実施例における共通の動作について具体的に説明する。
【００３３】
図１のシステム説明図に示す増設カメラ２は、エントランス、ゴミ集積所、駐車場等の集合住宅の共用部（の様子を）監視するにあたり、これら共用部の画像として、静止画データを一定時間ごとに撮像、または動画データを撮像している。
【００３４】
ここで、増設カメラ２にて一定時間ごとに撮像された静止画データは、カメララインＬ2を介して制御機６へと伝送され、当該制御機の画像メモリ６０１に保存することができる。一方、増設カメラ２にて撮像された動画データは、カメララインＬ2を介して制御機６へと伝送され、当該制御機が有する信号処理機能により一定時間ごとに静止画データに変換された後、画像メモリ６０１に保存することができる。
【００３５】
なお、前述の説明では、増設カメラ２にて静止画データが撮像されるタイミングを一定時間ごととし、カメララインＬ2を介して制御機６へと伝送されてくる静止画データを画像メモリ６０１に保存させたが、このタイミングに限定されず、来訪者が呼出操作を行うために集合住宅のエントランスに設置されている集合玄関機１の周囲近傍に近づき、来訪者が増設カメラ２の撮像範囲内に居ることを感知した人感センサ３からセンサラインＬ3を介して伝送されてくる人体感知信号を制御機６の第１の制御機ＣＰＵ６００ａまたは第２の制御機ＣＰＵ６００ｂが検出したタイミングをもとに、カメララインＬ2を介して増設カメラ２を制御して静止画データを撮像させ、撮像された静止画データを画像メモリ６０１に保存することもできる。
【００３６】
また、前述の説明では、増設カメラ２にて撮像された動画データを制御機６が有する信号処理機能により一定時間ごとのタイミングで静止画データに変換した後、画像メモリ６０１に保存させたが、このタイミングに限定されず、来訪者が呼出操作を行うために集合住宅のエントランスに設置されている集合玄関機１の周囲近傍に近づき、来訪者が増設カメラ２の撮像範囲内に居ることを感知した人感センサ３からセンサラインＬ3を介して伝送されてくる人体感知信号を制御機６の第１の制御機ＣＰＵ６００ａまたは第２の制御機ＣＰＵ６００ｂが検出したタイミングをもとに、増設カメラ２にて撮像された動画データを静止画データに変換し、この静止画データを画像メモリ６０１に保存することもできる。
【００３７】
次に、本発明の第１の実施例による動作について具体的に説明する。
【００３８】
集合住宅のエントランスに居る来訪者が、複数の住戸の各住戸内にそれぞれ在室中の居住者および管理室内に在室中の管理人のうち、ここでは、図１のシステム説明図に示す居室親機４ａが設置されている１０１号室内に在室中の居住者を呼び出して通話を成立させるため、集合玄関機１にて所定の呼出操作を行うと、呼出先である居室親機４ａに予め割り当てられている居室番号を付加させた呼出信号が生成される。この呼出信号は、集合玄関機１から玄関機ラインＬ１、制御機６（の第１の制御機ＣＰＵ６００ａ）、居室親機ラインＬ4を構成するデータ幹線路Ｌ4a、図２のブロック図に示す全ての居室親機４ａ、４ｂ、・・・の第１の居室端子Ｔ1（Ｔ1、Ｔ1、・・・）、データ用Ｉ／Ｆ４０９（４０９、４０９、・・・）を介して居室ＣＰＵ４０１（４０１、４０１、・・・）へとそれぞれ伝送される。
【００３９】
図２のブロック図に示す全ての居室親機４ａ、４ｂ、・・・の居室ＣＰＵ４０１（４０１、４０１、・・・）は、それぞれ集合玄関機１からの呼出信号に付加されている居室番号と自居室親機に予め割り当てられている居室番号とを照合し、当該居室番号が一致した場合にのみ居室スピーカ４０２から呼出音（音声メッセージを含む。）を放音させ、集合住宅のエントランスに居る来訪者からの呼び出しがあることを報知するとともに、モニタ駆動制御回路４０５を制御して居室モニタ４００を出画表示可能な状態とする。ここでは、居室親機４ａの居室ＣＰＵ４０１のみ当該居室番号が一致し、前述の呼出報知が行われるとともに、居室モニタ４００が出画表示可能な状態となる。
【００４０】
また、前述のように、図１のシステム説明図に示す居室親機４ａが設置されている１０１号室内に在室中の居住者を呼び出して通話を成立させるため、集合住宅のエントランスに居る来訪者により集合玄関機１にて所定の呼出操作が行われると、玄関機カメラ１００が駆動して呼出操作を行った来訪者の画像（エントランスの周囲近傍の画像を含む。）の撮像が開始される。この画像は、動画データ信号（以下、第１の動画データ信号という。）に信号処理された後、玄関機ラインＬ1、制御機６（の第１の制御機ＣＰＵ６００ａ）、居室親機ラインＬ4を構成する映像幹線路Ｌ4b、図２のブロック図に示す全ての居室親機４ａ、４ｂ、・・・の第２の居室端子Ｔ2（Ｔ2、Ｔ2、・・・）、映像用Ｉ／Ｆ４１０（４１０、４１０、・・・）を介してモニタ駆動制御回路４０５（４０５、４０５、・・・）へとそれぞれ伝送される。
【００４１】
図２のブロック図に示す全ての居室親機４ａ、４ｂ、・・・のモニタ駆動制御回路４０５（４０５、４０５、・・・）のうち、居室ＣＰＵ４０１（４０１、４０１、・・・）により予め制御されている当該モニタ駆動制御回路、ここでは、呼出先である１０１号室内に設置されている居室親機４ａのモニタ駆動制御回路４０５は、集合玄関機１からの第１の動画データ信号を居室モニタ４００へと送出することにより、この居室モニタ４００には、呼出操作を行った来訪者の画像（エントランスの周囲近傍の画像を含む。）が動画データとして表示される。
【００４２】
また、前述のように、図１のシステム説明図に示す集合玄関機１の玄関機カメラ１００にて撮像された画像が動画データとして居室親機４ａのモニタ４００に予め表示されているとき、呼出先である１０１号室内に在室中の居住者がハンドセット４０３を取り上げるような応答操作を行うと、図２のブロック図に示すフックスイッチ４０６がフックオフとなり、これを検出した居室ＣＰＵ４０１により通話回路４０６が制御され、居住者が使用するハンドセット４０３のマイクおよびレシーバと通話回路４０６、通話用Ｉ／Ｆ４１１、第３の居室端子Ｔ3、居室親機ラインＬ4を構成する音声幹線路Ｌ4c、制御機６、玄関機ラインＬ1を介して来訪者が使用する集合玄関機１の通話機能との間の通話路が形成され、形成された通話路を介して音声信号を送受信させることによって通話が成立し、特に、呼出先である１０１号室内に在室中の居住者にとっては、居室親機４ａの居室モニタ４００に表示されている来訪者の画像である動画データを確認しながら通話を成立させることができる。
【００４３】
さらに、前述のように、図１のシステム説明図に示す集合玄関機１の玄関機カメラ１００にて撮像された画像が動画データとして居室親機４ａのモニタ４００に予め表示されているとき、呼出先である１０１号室内に在室中の居住者が入力切替ボタン４０７を操作すると、この操作を検出した図２のブロック図に示す居室ＣＰＵ４０１は、制御機６から居室親機４ａへと送出される画像データについて、集合玄関機１の玄関機カメラ１００にて撮像された画像である動画データから制御機６の画像メモリ６０１に保存されている静止画データに切り替えるための入力画像切替信号（以下、第１の入力画像切替信号という。）を生成する。この第１の入力画像切替信号は、居室ＣＰＵ４０１からデータ用Ｉ／Ｆ４０９、第１の居室端子Ｔ1、居室親機ラインＬ4を構成するデータ幹線路Ｌ4aを介して制御機６へと伝送されるとともに、居室ＣＰＵ４０１からデータ用Ｉ／Ｆ４０９、第１の居室端子Ｔ1、居室親機ラインＬ4を構成するデータ幹線路Ｌ4a、居室親機４ａを除く他の居室親機４ｂ、・・・の第１の居室端子Ｔ1（Ｔ1、・・・）、データ用Ｉ／Ｆ４０９（４０９、・・・）を介して居室ＣＰＵ４０１（４０１、・・・）へとそれぞれ伝送される。
【００４４】
なお、図２のブロック図に示す居室親機４ａを除く他の居室親機４ｂ、・・・の居室ＣＰＵ４０１（４０１、・・・）は、それぞれ伝送されてきた第１の入力画像切替信号が図１のシステム説明図に示す制御機６（の第１の制御機ＣＰＵ６００ａ）からの出力信号でないことから当該第１の入力画像切替信号を無効な信号であると判断する。
【００４５】
図１のシステム説明図に示す制御機６において、居室親機４ａからの第１の入力画像切替信号を検出した第１の制御機ＣＰＵ６００ａは、玄関機ラインＬ1を介して伝送されてきた集合玄関機１からの第１の動画データ信号について居室親機ラインＬ4を構成する映像幹線路Ｌ4bへの送出を停止する一方、画像メモリ６０１から読み出した静止画データに、このデータの宛先アドレスとして、呼出先である居室親機４ａに予め割り当てられている居室番号を付加させた静止画データ信号（以下、第１の静止画データ信号という。）を生成する。この第１の静止画データ信号は、第１の制御機ＣＰＵ６００ａから居室親機ラインＬ4を構成するデータ幹線路Ｌ4a、図２のブロック図に示す全ての居室親機４ａ、４ｂ、・・・の第１の居室端子Ｔ1（Ｔ1、Ｔ1、・・・）、データ用Ｉ／Ｆ４０９（４０９、４０９、・・・）を介して居室ＣＰＵ４０１（４０１、４０１、・・・）へとそれぞれ伝送される。
【００４６】
図２のブロック図に示す全ての居室親機４ａ、４ｂ、・・・の居室ＣＰＵ４０１（４０１、４０１、・・・）は、それぞれ制御機６からの第１の静止画データ信号に付加されている居室番号と自居室親機に予め割り当てられている居室番号とを照合し、当該居室番号が一致した場合にのみ制御機６の画像メモリ６０１から読み出された静止画データ、すなわち、前述のように増設カメラ２にて一定時間ごと、または人感センサ３が感知したタイミングで撮像された静止画データ、或いは増設カメラ２にて撮像された動画データを当該制御機にて一定時間ごと、または人感センサ３が感知したタイミングで変換させた静止画データをモニタ駆動制御回路４０５を介して居室モニタ４００へと送出し、当該居室モニタに表示させることができる。ここでは、居室親機４ａの居室親機ＣＰＵ４０１のみ当該居室番号が一致し、制御機６の画像メモリ６０１から読み出された前述の静止画データが居室モニタ４００に表示される。
【００４７】
なお、図１のシステム説明図に示す制御機６の画像メモリ６０１から読み出された静止画データが居室親機４ａの居室モニタ４００に予め表示されている状態において、増設カメラ２にて撮像される画像が前述のように一定時間ごとに更新された場合には、居室親機４ａの居室モニタ４００に表示される静止画データについても一定時間ごとに更新され、最新の静止画データとして表示させることができる。
【００４８】
また、前述のように、図１のシステム説明図に示す制御機６の画像メモリ６０１から読み出された静止画データが居室親機４ａの居室モニタ４００に予め表示されている状態において、１０１号室内に在室中の居住者が入力切替ボタン４０７を再度操作すると、この操作を検出した図２のブロック図に示す居室ＣＰＵ４０１は、制御機６から居室親機４ａへと伝送させる画像データについて、制御機６の画像メモリ６０１から読み出された静止画データから集合玄関機１の玄関機カメラ１００にて撮像された画像である動画データに切り替えるための入力画像切替信号（以下、第２の入力画像切替信号という。）を生成する。この第２の入力画像切替信号は、前述の第１の入力画像切替信号と同様な経路を介して制御機６および居室親機４ａを除く他の居室親機４ｂ、・・・の居室ＣＰＵ４０１（４０１、・・・）へとそれぞれ伝送される。
【００４９】
なお、図２のブロック図に示す居室親機４ａを除く他の居室親機４ｂ、・・・の居室ＣＰＵ４０１（４０１、・・・）は、それぞれ伝送されてきた第２の入力画像切替信号が図１のシステム説明図に示す制御機６（の第１の制御機ＣＰＵ６００ａ）からの出力信号でないことから当該第２の入力画像切替信号を無効な信号であると判断する。
【００５０】
図１のシステム説明図に示す制御機６において、居室親機４ａからの第２の入力画像切替信号を検出した第１の制御機ＣＰＵ６００ａは、画像メモリ６０１から読み出した静止画データ信号の居室親機ラインＬ4を構成するデータ幹線路Ｌ4aへの送出を停止する一方、玄関機ラインＬ1を介して伝送されてきた集合玄関機１からの第１の動画データ信号の居室親機ラインＬ4を構成する映像幹線路Ｌ4bへの送出を開始することにより、居室親機４ａの居室モニタ４００に表示される画像データは、集合玄関機１の玄関機カメラ１００にて撮像された画像である動画データに切り替えられる。
【００５１】
前述の説明から明らかなように、本発明の第１の実施例によれば、呼出先である１０１号室内に在室中の居住者は、居室親機４ａの居室モニタ４００に表示させる画像データとして、集合玄関機１の玄関機カメラ１００にて撮像された画像である動画データ、制御機６の画像メモリ６０１から読み出された画像である静止画データ、すなわち、増設カメラ２にて一定時間ごと、または人感センサ３が感知したタイミングで撮像された静止画データ、或いは増設カメラ２にて撮像された動画データを制御機６にて一定時間ごと、または人感センサ３が感知したタイミングで変換させた静止画データを選択し、切り替えて表示させることができる。これにより、呼出先である１０１号室内に在室中の居住者は、集合住宅のエントランスに居る来訪者との間で通話が成立している場合であっても、エントランス、ゴミ集積所、駐車場等の共用部に不審者等が居るか否か、この共用部にてセキュリティ異常が発生しているか否かを最新の静止画データをもとに容易に確認することができ、早急な通報および避難や当該避難の誘導等、迅速な対応が可能となる。
【００５２】
なお、本発明の第１の実施例によれば、居室親機４ａの居室モニタ４００に表示させる画像データとして、集合玄関機１の玄関機カメラ１００にて撮像された画像である動画データ、制御機６の画像メモリ６０１から読み出された画像である前述の静止画データを選択したが、図２のブロック図に示すモニタ駆動制御回路４０５に画像同時表示機能および／または分割表示機能を備えることにより、前述の動画データおよび静止画データをモニタ４００へと同時に表示させる、および／または分割表示させることもでき、この画像同時表示機能および／または分割表示機能を用いることによって、制御機６にて動画データおよび静止画データを合成させるような信号処理が不要となり、第１の制御機ＣＰＵ６００ａへの負荷が低減される。
【００５３】
また、本発明の第１の実施例によれば、集合住宅のエントランスが１箇所であり、集合玄関機１が１台設置されている当該装置を採用したが、このエントランスが複数箇所ある場合には、それぞれのエントランスへと集合玄関機１ａ、１ｂ、・・・（図示せず）の設置が必要となる。ここで、全ての居室親機ラインＬ4（Ｌ4、Ｌ4、・・・）を構成する映像幹線路Ｌ4b（Ｌ4b、Ｌ4b、・・・）が使用中であるとき、特定の集合玄関機１ｂにて特定の居室親機４ｂを呼び出して通話を成立させるための所定の呼出操作が行われた場合、集合玄関機１ｂの玄関機カメラ１００にて撮像された画像である動画データを呼出先の居室親機４ｂへと伝送させることができないが、集合玄関機１ｂからの呼び出しが報知された居室親機４ｂの入力切替ボタン４０７を操作すると、この操作を検出した制御機ＣＰＵ４０１および制御機６の第１の制御機ＣＰＵ６００ａの制御により、居室親機４ｂに接続された居室親機ラインＬ4を構成する映像幹線路Ｌ4b（の占有状態）が開放され、集合玄関機１ｂの玄関機カメラ１００にて撮像された画像である動画データを呼出先の居室親機４ｂへと伝送させることができる。
【００５４】
次に、本発明の第２の実施例による動作について具体的に説明する。
【００５５】
図１のシステム説明図に示す増設カメラ２にて撮像される画像、すなわち、前述の第１の実施例にて明らかなエントランス、ゴミ集積所、駐車場等の集合住宅の共用部（の様子）を監視するための画像について、複数の居室親機４ａ、４ｂ、・・・の居室モニタ４００（４００、４００、・・・）にそれぞれ表示させるような出画表示要求を行うにあたり、複数の居室親機４ａ、４ｂ、・・・がそれぞれ設置された１０１号室内、１０２号室、・・・の各住戸内にそれぞれ在室中の居住者のうち、先ず、１０１号室内に在室中の居住者が、待受状態の居室親機４ａ、例えば、エントランスに居る来訪者による集合玄関機１からの呼び出しがなく通話も成立していない状態や管理室内に在室中の管理人による管理室親機５からの呼び出しがなく通話も成立していない居室親機４ａの入力切替ボタン４０７を操作すると、この操作を検出した図２のブロック図に示す居室ＣＰＵ４０１は、モニタ駆動制御回路４０５を制御して居室モニタ４００を出画表示可能な状態とするとともに、制御機６から居室親機４ａへと伝送させる画像データについて、制御機６の画像メモリ６０１に保存されている静止画データを読み出すための制御データとして、自居室親機に予め割り当てられている居室番号を付加させた出画表示要求信号（以下、第１の出画表示要求信号という。）を生成する。この第１の出画表示要求信号は、前述の第１、第２の各入力画像切替信号と同様な経路を介して制御機６へと伝送されるとともに、居室ＣＰＵ４０１からデータ用Ｉ／Ｆ４０９、第１の居室端子Ｔ1、居室親機ラインＬ4を構成するデータ幹線路Ｌ4a、居室親機４ａを除く他の居室親機４ｂ、・・・の第１の居室端子Ｔ1（Ｔ1、・・・）、データ用Ｉ／Ｆ４０９（４０９、・・・）を介して居室ＣＰＵ４０１（４０１、・・・）へとそれぞれ伝送される。
【００５６】
なお、図２のブロック図に示す居室親機４ａを除く他の居室親機４ｂ、・・・の居室ＣＰＵ４０１（４０１、・・・）は、それぞれ伝送されてきた第１の出画表示要求信号が図１のシステム説明図に示す制御機６（の第１の制御機ＣＰＵ６００ａ）からの出力信号でないことから、当該第１の出画表示要求信号を無効な信号であると判断する。
【００５７】
また、前述のような１０１号室内に在室中の居住者による出画表示要求操作が行われた状態において、その他の居住者、ここでは、１０２号室内に在室中の居住者が、待受状態の図１のシステム説明図および図２のブロック図に示す居室親機４ｂの入力切替ボタン４０７を操作すると、この操作を検出した居室ＣＰＵ４０１は、モニタ駆動制御回路４０５を制御して居室モニタ４００を出画表示可能な状態とするとともに、制御機６から居室親機４ｂへと伝送させる画像データについて、制御機６の画像メモリ６０１に保存されている静止画データを読み出すための制御データとして、自居室親機に予め割り当てられている居室番号を付加させた出画表示要求信号（以下、第２の出画表示要求信号という。）を生成する。この第２の出画表示要求信号は、居室ＣＰＵ４０１からデータ用Ｉ／Ｆ４０９、第１の居室端子Ｔ1、居室親機ラインＬ4を構成するデータ幹線路Ｌ4aを介して制御機６へと伝送されるとともに、居室ＣＰＵ４０１からデータ用Ｉ／Ｆ４０９、第１の居室端子Ｔ1、居室親機ラインＬ4を構成するデータ幹線路Ｌ4a、居室親機４ｂを除く他の居室親機４ａ、・・・の第１の居室端子Ｔ1（Ｔ1、・・・）、データ用Ｉ／Ｆ４０９（４０９、・・・）を介して居室ＣＰＵ４０１（４０１、・・・）へとそれぞれ伝送される。
【００５８】
なお、図２のブロック図に示す居室親機４ｂを除く他の居室親機４ａ、・・・の居室ＣＰＵ４０１（４０１、・・・）は、それぞれ伝送されてきた第２の出画表示要求信号が図１のシステム説明図に示す制御機６（の第１の制御機ＣＰＵ６００ａ）からの出力信号でないことから、当該第２の出画表示要求信号を無効な信号であると判断する。
【００５９】
図１のシステム説明図に示す制御機６において、居室親機４ａからの第１の出画表示要求信号および居室親機４ｂからの第２の出画表示要求信号をそれぞれ検出した第１の制御機ＣＰＵ６００ａは、画像メモリ６０１に保存されている静止画データを読み出し、このデータの宛先アドレスとして、居室親機４ａ、４ｂにそれぞれ予め割り当てられている居室番号を付加させた静止画データ信号（以下、第２の静止画データ信号という。）を生成する。この第２の静止画データ信号は、前述の第１の静止画データ信号と同様な経路を介して図２のブロック図に示す全ての居室親機４ａ、４ｂ、・・・の居室ＣＰＵ４０１（４０１、４０１、・・・）へとそれぞれ伝送される。
【００６０】
図２のブロック図に示す全ての居室親機４ａ、４ｂ、・・・の居室ＣＰＵ４０１（４０１、４０１、・・・）は、それぞれ制御機６からの第２の静止画データ信号に付加されている居室番号と自居室親機に予め割り当てられている居室番号とを照合し、当該居室番号が一致した場合にのみ制御機６の画像メモリ６０１から読み出された静止画データ、すなわち、増設カメラ２にて一定時間ごと、または人感センサ３が感知したタイミングで撮像された静止画データ、或いは増設カメラ２にて撮像された動画データを制御機６にて一定時間ごと、または人感センサ３が感知したタイミングで変換させた静止画データをモニタ駆動制御回路４０５を介して居室モニタ４００へと送出し、当該居室モニタに表示させることができる。ここでは、待受状態において出画表示要求のための操作が行われた居室親機４ａ、４ｂの居室親機ＣＰＵ４０１（４０１、４０１）にてそれぞれ当該居室番号が一致し、制御機６の画像メモリ６０１から読み出された前述の静止画データが居室モニタ４００（４００、４００）に表示される。
【００６１】
前述の説明から明らかなように、本発明の第２の実施例によれば、入力切替ボタン４０７（４０７、４０７、・・・）が操作されるような出画表示要求が待受状態である複数の居室親機４ａ、４ｂ、・・・にて行われた場合、この操作が行われた全ての居室親機４ａ、４ｂ、・・・に予め割り当てられている居室番号を宛先アドレスとして、制御機６の画像メモリ６０１から読み出された静止画データを居室親機ラインＬ4aを構成するデータ幹線路Ｌ4aを用いて一度に送出することができるため、所定の回線容量を有するデータ幹線路Ｌ4aの有効利用が図られるばかりでなく、出画表示要求のための操作が行われた全ての居室親機４ａ、４ｂ、・・・では、増設カメラ２にて撮像された画像として、制御機６の画像メモリ６０１から読み出された静止画データを同一のタイミングで居室モニタ４００（４００、４００、・・・）に表示させることができる。
【００６２】
なお、本発明の第２の実施例によれば、複数の居室親機４ａ、４ｂ、・・・のうち、例えば、居室親機４ａの居室モニタ４００に静止画データが表示されているときに、他の居室親機４ｂ、・・・から出画表示要求が行われた場合でも同様な効果を奏する。
【００６３】
次に、本発明の第３の実施例の動作について具体的に説明する。
【００６４】
図１のシステム説明図に示す増設カメラ２にて撮像される画像、すなわち、前述の第１第２の各実施例から明らかなようなエントランス、ゴミ集積所、駐車場等の集合住宅の共用部（の様子）を監視するための画像について、複数の居室親機４ａ、４ｂ、・・・の居室モニタ４００（４００、４００、・・・）に動画データまたは静止画データから選択して表示させるにあたり、その選択起動操作として、複数の居室親機４ａ、４ｂ、・・・がそれぞれ設置されている１０１号室、１０２号室、・・・の各住戸内にそれぞれ在室中の居住者のうち、先ず、１０１号室内に在室中の居住者が、待受状態である居室親機４ａの入力切替ボタン４０７を操作すると、この操作を検出した図２のブロック図に示す居室ＣＰＵ４０１は、モニタ駆動制御回路４０５を制御して居室モニタ４００を出画表示可能な状態とするとともに、制御機６から居室親機４ａへと伝送させる画像データについて、増設カメラ２にて撮像された画像である動画データまたは静止画データを取得するための起動制御データとして、自居室親機に予め割り当てられている居室番号を付加させた入力画像選択起動信号を生成する。この入力画像選択起動信号は、前述の第１、第２の各入力画像切替信号および第１の出画表示要求信号と同様な経路を介して制御機６へと伝送されるとともに、居室親機４ａを除く他の居室親機４ｂ、・・・の居室ＣＰＵ４０１（４０１、・・・）へとそれぞれ伝送される。
【００６５】
また、前述のような１０１号室内に在室中の居住者による選択起動操作が行われた後、図１のシステム説明図および図２のブロック図に示す居室親機４ａの居室モニタ４００に表示させる画像データとして、増設カメラ２にて撮像された画像である動画データまたは静止画データを選択するための選択操作が動画切替ボタン４０８にて行われた場合、先ず、動画データを選択するための画像選択操作が行われた場合、この操作を検出した居室ＣＰＵ４０１は、増設カメラ２にて撮像された動画データを制御機６にて取得させるための制御データとして、自居室親機に予め割り当てられている居室番号を付加させた動画データ取得信号を生成する。この動画データ取得信号は、前述の第１、第２の各入力画像切替信号、第１の出画表示要求号および入力画像選択起動信号と同様な経路を介して制御機６へと伝送されるとともに、居室親機４ａを除く他の居室親機４ｂ、・・・の居室ＣＰＵ４０１（４０１、・・・）へとそれぞれ伝送される。
【００６６】
なお、図２のブロック図に示す居室親機４ａを除く他の居室親機４ｂ、・・・の居室ＣＰＵ４０１（４０１、・・・）は、それぞれ伝送されてきた入力画像選択起動信号および動画データ取得信号が図１のシステム説明図に示す制御機６（の第２の制御機ＣＰＵ６００ｂ）からの出力信号でないことから、当該入力画像選択起動信号および動画データ取得信号をそれぞれ無効な信号であると判断する。
【００６７】
図１のシステム説明図に示す制御機６において、居室親機４ａからの入力画像選択起動信号および動画データ取得信号をそれぞれ検出した第２の制御機ＣＰＵ６００ｂは、居室親機４ａへと伝送させる画像データとして、増設カメラ２にて撮像された動画データを取得し、適宜、信号処理させた動画データ信号（以下、第２の動画データ信号という。）を生成する。この第２の動画データ信号は、第２の制御機ＣＰＵ６００ｂから居室親機ラインＬ4を構成する映像幹線路Ｌ4b、図２のブロック図に示す全ての居室親機４ａ、４ｂ、・・・の第２の居室端子Ｔ2（Ｔ2、Ｔ2、・・・）、映像用Ｉ／Ｆ４１０（４１０、４１０、・・・）を介してモニタ駆動制御回路４０５（４０５、４０５、・・・）へとそれぞれ伝送される。
【００６８】
図２のブロック図に示す全ての居室親機４ａ、４ｂ、・・・のモニタ駆動制御回路４０５（４０５、４０５、・・・）のうち、居室ＣＰＵ４０１（４０１、４０１、・・・）により予め制御されている当該モニタ駆動制御回路、ここでは、動画データの取得元である居室親機４ａのモニタ駆動制御回路４０５は、制御機６からの第２の動画データ信号を居室モニタ４００へと送出することにより、この居室モニタ４００には、図１のシステム説明図に示す増設カメラ２にて撮像された画像である動画データが表示される。
【００６９】
一方、前述のような１０１号室内に在室中の居住者による選択起動操作が行われた後、図１のシステム説明図および図２のブロック図に示す居室親機４ａの居室モニタ４００に表示させる画像データとして、増設カメラ２にて撮像された画像である静止画データを選択するための画像選択操作が行われた場合、この操作を検出した居室ＣＰＵ４０１は、増設カメラ２にて撮像された静止画データを制御機６にて取得させるための制御データとして、自居室親機に予め割り当てられている居室番号を付加させた静止画データ取得信号を生成する。この静止画データ取得信号は、前述の第１、第２の各入力画像切替信号、第１の出画表示要求号、入力画像選択起動信号、動画データ取得信号と同様な経路を介して制御機６へと伝送されるとともに、居室親機４ａを除く他の居室親機４ｂ、・・・の居室ＣＰＵ４０１（４０１、・・・）へとそれぞれ伝送される。
【００７０】
なお、図２のブロック図に示す居室親機４ａを除く他の居室親機４ｂ、・・・の居室ＣＰＵ４０１（４０１、・・・）は、それぞれ伝送されてきた入力画像選択起動信号および静止画データ取得信号が図１のシステム説明図に示す制御機６（の第２の制御機ＣＰＵ６００ｂ）からの出力信号でないことから、当該入力画像選択起動信号および静止画データ取得信号をそれぞれ無効な信号であると判断する。
【００７１】
図１のシステム説明図に示す制御機６において、居室親機４ａからの入力画像選択起動信号および静止画データ取得信号をそれぞれ検出した第２の制御機ＣＰＵ６００ｂは、居室親機４ａへと伝送させる画像データとして、増設カメラ２にて撮像された静止画データ、すなわち、前述のように増設カメラ２にて一定時間ごと、または人感センサ３が感知したタイミングで撮像された静止画データ、或いは増設カメラ２にて撮像された動画データを当該制御機にて一定時間ごと、または人感センサ３が感知したタイミングで変換させた静止画データを取得し、このデータの宛先アドレスとして、居室親機４ａに予め割り当てられている居室番号を付加させた静止画データ信号（以下、第２の静止画データ信号という。）を生成する。この第２の静止画データ信号は、前述の第１の静止画データ信号、第１、第２の各動画データ信号と同様な経路を介して図２のブロック図に示す全ての居室親機４ａ、４ｂ、・・・の居室ＣＰＵ４０１（４０１、４０１、・・・）へとそれぞれ伝送される。
【００７２】
図２のブロック図に示す全ての居室親機４ａ、４ｂ、・・・の居室ＣＰＵ４０１（４０１、４０１、・・・）は、それぞれ制御機６からの第２の静止画データ信号に付加されている居室番号と自居室親機に予め割り当てられている居室番号とを照合し、当該居室番号が一致した場合にのみ増設カメラ２にて撮像された静止画データ、すなわち、増設カメラ２にて一定時間ごと、または人感センサ３が感知したタイミングで撮像された静止画データ、或いは増設カメラ２にて撮像された動画データを制御機６にて一定時間ごと、または人感センサ３が感知したタイミングで変換させた静止画データをモニタ駆動制御回路４０５を介して居室モニタ４００へと送出し、当該居室モニタに表示させることができる。ここでは、居室親機４ａの居室親機ＣＰＵ４０１のみ当該居室番号が一致し、増設カメラ２にて撮像された画像として、前述の静止画データが居室モニタ４００に表示される。
【００７３】
また、前述のように、図１のシステム説明図に示す増設カメラ２にて撮像された動画データを居室親機４ａの居室モニタ４００に表示させるような動画選択操作が１０１号室内に在室中の居住者により行われ、制御機６の第２の制御機ＣＰＵ６００ｂの制御により、増設カメラ２にて撮像された画像である動画データが居室親機ラインＬ4を構成する映像幹線路Ｌ4bへと送出されているときに、その他の居住者、ここでは、１０２号室内に在室中の居住者が、待受状態である居室親機４ｂの入力切替ボタン４０７を操作すると、この操作を検出した居室ＣＰＵ４０１は、モニタ駆動制御回路４０５を制御して居室モニタ４００を出画表示可能な状態とするとともに、制御機６から居室親機４ｂへと伝送させる画像データについて、増設カメラ２にて一定時間ごと、または人感センサ３が感知したタイミングで撮像された静止画データ、或いは増設カメラ２にて撮像された動画データを制御機６にて一定時間ごと、または人感センサ３が感知したタイミングで変換させた静止画データの取得を開始するための制御データとして、自居室親機に予め割り当てられている居室番号を付加させた出画表示要求信号（以下、第３の出画表示要求信号という。）を生成する。この第３の出画表示要求信号は、前述の第２の出画表示要求信号と同様な経路を介して制御機６へと伝送されるとともに、居室親機４ｂを除く他の居室親機４ａ、・・・の居室ＣＰＵ４０１（４０１、・・・）へとそれぞれ伝送される。
【００７４】
なお、図２のブロック図に示す居室親機４ｂを除く他の居室親機４ａ、・・・の居室ＣＰＵ４０１（４０１、・・・）は、それぞれ伝送されてきた第３の出画表示要求信号が図１のシステム説明図に示す制御機６（の第２の制御機ＣＰＵ６００ｂ）からの出力信号でないことから、当該第３の出画表示要求信号を無効な信号であると判断する。
【００７５】
図１のシステム説明図に示す制御機６において、居室親機４ｂからの第３の出画表示要求信号を検出した第２の制御機ＣＰＵ６００ｂは、増設カメラ２にて撮像された画像のうち動画データの取得を停止する一方、増設カメラ２にて一定時間ごと、または人感センサ３が感知したタイミングで撮像された静止画データ、或いは増設カメラ２にて撮像された動画データを制御機６にて一定時間ごと、または人感センサ３が感知したタイミングで変換させた静止画データの取得を開始するとともに、このデータの宛先アドレスとして、居室親機４ａ、４ｂにそれぞれ予め割り当てられている居室番号を付加させた静止画データ信号（以下、第３の静止画データ信号という。）を生成する。この第３の静止画データ信号は、前述の第１、第２の各静止画データ信号と同様な経路を介して図２のブロック図に示す全ての居室親機４ａ、４ｂ、・・・の居室ＣＰＵ４０１（４０１、４０１、・・・）へとそれぞれ伝送される。
【００７６】
図２のブロック図に示す全ての居室親機４ａ、４ｂ、・・・の居室ＣＰＵ４０１（４０１、４０１、・・・）は、それぞれ制御機６からの第３の静止画データ信号に付加されている居室番号と自居室親機に予め割り当てられている居室番号とを照合し、当該居室番号が一致した場合にのみ増設カメラ２にて撮像された画像として、増設カメラ２にて一定時間ごと、または人感センサ３が感知したタイミングで撮像された静止画データ、或いは増設カメラ２にて撮像された動画データを制御機６にて一定時間ごと、または人感センサ３が感知したタイミングで変換させた静止画データをモニタ駆動制御回路４０５を介して居室モニタ４００へと送出し、当該居室モニタに表示させることができる。ここでは、居室親機４ａ、４ｂの居室親機ＣＰＵ４０１（４０１、４０１）にてそれぞれ当該居室番号が一致し、増設カメラ２にて撮像された画像として、前述の静止画データが居室モニタ４００（４００、４００）に表示される。
【００７７】
前述の説明から明らかなように、本発明の第３の実施例によれば、入力切替ボタン４０７および動画切替ボタン４０８がそれぞれ操作され、増設カメラ２にて撮像された画像が動画データとして特定の居室親機４ａの居室モニタ４００に表示されているときに、その他の居室親機４ｂにて入力切替ボタン４０７が操作されるような出画表示要求のため操作が行われると、制御機６の第２の制御機ＣＰＵ６００ｂの制御により、増設カメラ２にて撮像された動画データの取得が停止される一方、増設カメラ２にて一定時間ごと、または人感センサ３が感知したタイミングで撮像された静止画データ、或いは増設カメラ２にて撮像された動画データを制御機６にて一定時間ごと、または人感センサ３が感知したタイミングで変換させた静止画データの取得が開始され、この静止画データが居室親機４ａ、４ｂの居室モニタ４００（４００、４００）にそれぞれ表示されることから、増設カメラ２にて撮像された動画データが複数の居室親機４ａ、４ｂ、・・・のうち何れか１の当該居室親機の居室モニタ４００に表示されている場合でも、他の居室親機からの出画表示要求へと迅速に対応することができる。
【００７８】
また、本発明の第１〜第３の各実施例によれば、制御機６から居室親機ラインＬ4を介して複数の居室親機４ａ、４ｂ、・・・へと画像データを伝送させるにあたり、データ幹線路Ｌ4aには静止画データが伝送される一方、映像幹線路Ｌ4bには動画データが伝送されるように、伝送させる画像データの種類が異なり所定の回線容量を常時占有するものでないため、増設カメラ２が複数台（２ａ、２ｂ、・・・）設置され、これら複数の増設カメラ２ａ、２ｂ・・・にて撮像された画像を居室モニタ４００に表示させるための出画表示要求操作が複数の居室親機４ａ、４ｂ、・・・にてそれぞれ行われた場合でも、１本のデータ幹線路Ｌ4aを用いて複数の静止画データを伝送させることができる。
【００７９】
さらに、本発明の第１〜第２の実施例によれば、制御機６の画像メモリ６００から読み出された画像データ、すなわち、増設カメラ２にて一定時間ごと、或いは人感センサ３が感知したタイミングで撮像された静止画データおよび増設カメラ２にて撮像された動画データを当該制御機にて一定時間ごと、あるいは人感センサ３が感知したタイミングで信号処理させた静止画データを居室親機ラインＬ4を介して居室親機４ａ、４ｂ、・・・へと伝送させるにあたり、この静止画データは、データ幹線路Ｌ4aを用いて伝送させたが、この幹線路に限定されず、映像幹線路Ｌ4bを用いることもでき、映像幹線路Ｌ4bを伝送される画像データは静止画データであって所定の回線容量を常時占有するものでないため、１本の映像幹線路Ｌ4bを用いて複数の静止画データを伝送させることができる。
【図面の簡単な説明】
【００８０】
【図１】図１は、本発明の第１〜第３の各実施例による集合住宅インターホン装置を示すシステム説明図である。
【図２】図２は、本発明の第１〜第３の各実施例による集合住宅インターホン装置において、複数の居室親機の具体的な構成を示すブロック図である。
【符号の説明】
【００８１】
１……集合玄関機
１００……玄関機カメラ（カメラ）
２……増設カメラ
３……人感センサ
４ａ、４ｂ、・・・ ……複数の居室親機
４００……居室モニタ（モニタ）
４０７……入力切替ボタン
４０８……動画切替ボタン
６……制御機
６００ａ……第１の制御機ＣＰＵ（制御機ＣＰＵ）
６００ｂ……第２の制御機ＣＰＵ（制御機ＣＰＵ）
６０１……画像メモリ
Ｌ4a……（居室親機ラインを構成する）データ幹線路
Ｌ4b……（居室親機ラインを構成する）映像幹線路
【図１】
2006211204.tif 000003
【図２】
2006211204.tif 000004